(57)【要約】【課題】  マイクエレメントと外部接続端子の配置による小型化を目的とする撮像装置の提供。【解決手段】  外部接続端子を二つのマイクエレメントの間に配置することで、基板と接続端子の効率的な配置による小型化を図る。【選択図】        図３
2006352760.tif 000002
【特許請求の範囲】
【請求項１】
二つのマイクエレメントと、
信号処理をおこなう信号処理基板を備え、
信号処理基板を隔てた両側にマイクエレメントをそれぞれ１つづつ配置したことを特徴とする撮像装置。
【請求項２】
二つのマイクエレメントの間に前記信号処理基板に実装された外部接続端子が配置されていることを特徴とする請求項１に記載の撮像装置。
【請求項３】
撮像する画像を取り込むレンズユニットを備え、
電源供給するバッテリーと、
画像を表示する画像表示部と、
前記信号処理基板がレンズユニットの下に備えられ、
画像を記録する記録手段がレンズユニットに並べて備えられ、
バッテリーまたは表示部の前方に１つのマイクエレメントが配置され、
記録手段の前方に別の一つのマイクエレメントを配置したことを特徴とする請求項１または２に記載の撮像装置。
【請求項４】
一部または全部が弾性部材で形成された前記外部接続端子を覆うカバーを備え、
カバーで外部端子を覆った状態において弾性部材が圧縮して端子部が外部から密封されることを特徴とする請求項２または３に記載の撮像装置。
【発明の詳細な説明】
【技術分野】
【０００１】
本発明は二つのマイクエレメントをもつ撮像装置に関するものである。
【背景技術】
【０００２】
従来よりビデオカメラでは二つのマイクエレメントを持ち、エレメントを左右に並べて配置することでステレオ効果のある音を記録している。撮影方向の音を記録するため、マイクエレメントはビデオカメラの前面に撮影方向と同じ方向に向けて設置されている。
【０００３】
また記録テープを駆動するテープ駆動ユニットを備えたビデオカメラでは、テープ駆動ユニットを効率的に配置するため、テープ駆動ユニットとレンズユニットを並列し、レンズユニットの下の空間には液晶表示部・バッテリー・信号処理基板を配置して、高さを抑えて小型化を狙ったビデオカメラもある。
【非特許文献１】キヤノン、デジタルビデオカメラカタログ、２００４年６月、ｐ．２
【発明の開示】
【発明が解決しようとする課題】
【０００４】
しかしながら、高機能な信号処理を行う為には基板の実装面積を大きく取ることが必要であり、出来るだけ大きな基板を配置することが重要である。一方、マイクユニットは撮影方向の音を集音する必要があるため、撮像装置の前面に設ける必要がある。信号処理基板の前方にマイクユニットを設けると、基板長さとマイクユニットの厚みの両方が長さ方向に加わるため、撮像装置の全長が長くなる。
【０００５】
また別の課題として、接続端子の配置には実装する基板が必要であるため、接続端子を実装するための別の基板を配置すると、スペースを取り、コストアップである恐れがある。
【０００６】
さらに、マイク付近に外部端子などを設けると、端子が外側から接続できるように外装カバーに穴を開けて、端子部を露出することが必要である。しかし、端子部露出のために開けた穴は、隙間となり、テープやレンズの駆動振動音を隙間を伝って伝え、振動音がマイク正面に廻り込み、雑音として記録されることがある。
【０００７】
本出願に係る第一の発明の目的は小型化を実現する撮像装置を提供することである。
【０００８】
本出願に係る第二の発明の目的は小型化とコストダウンを実現する撮像装置を提供することである。
【０００９】
本出願に係る第三の発明の目的は小型化とコストダウンを実現する撮像装置を提供することである。
【００１０】
本出願に係る第四の発明の目的はマイクの雑音除去を実現する撮像装置を提供することである。
【課題を解決するための手段】
【００１１】
前記課題を解決するために、本発明の撮像装置は二つのマイクエレメントと、信号処理をおこなう信号処理基板を備え、信号処理基板を隔てて、マイクエレメントをそれぞれ１つづつ配置したことを特徴とする。
【００１２】
本発明のその他の特徴とするところは、二つのマイクエレメントの間に前記信号処理基板に実装された外部接続端子が配置されていることを特徴とする。
【００１３】
本発明のその他の特徴とするところは、撮像する画像を取り込むレンズユニットを備え、電源供給するバッテリーと、画像を表示する画像表示部と、前記信号処理基板がレンズユニットの下に備え、画像を記録する記録手段をレンズユニットに並べて備え、バッテリーまたは表示部の前方に１つのマイクエレメントが配置され、記録手段の前方に別の一つのマイクエレメントを配置したことを特徴とする。
【００１４】
本発明のその他の特徴とするところは、一部または全部が弾性部材で形成された前記外部接続端子を覆うカバーを備え、カバーで外部端子を覆った状態において弾性部材が圧縮して端子部が外部から密封されることを特徴とする。
【発明の効果】
【００１５】
本発明によれば、二つのマイクエレメントの間に接続端子を配置することにより、小型化を図ることができる。
【発明を実施するための最良の形態】
【００１６】
以下本発明を実施するための最良の形態を、実施例により詳しく説明する。
【実施例１】
【００１７】
本発明の概略図である図１、２に沿って説明する。
【００１８】
本発明のビデオカメラには二つのマイクエレメントが設置されており、２チャンネルで集音できる。１１１がＲチャンネル、１１２がＬチャンネルのマイクであり、ＲとＬのチャンネルの間には開閉可能なカバー１１３が付属している。レンズ１１５と同じ向きでマイクエレメントが備えられており、撮影方向の音を集めやすい構造になっている。
【００１９】
レンズ正面１１５から見て右側に表示部が配置され、表示部は図２のように開いた状態で、記録画像データの再生、記録中の画像確認などに使用することができる。表示部を開いた内側にはバッテリー１２１が装着でき、バッテリー装着時には電源供給を行う。
【００２０】
１１３の端子カバーを開けると図３のように２種類の接続端子が現れる。１３１は電源供給端子、１３２は画像・音声出力端子である。
【００２１】
図４は内部構造を表している。
【００２２】
１４１はレンズ１１５を含むレンズユニットであり、複数のレンズで構成され、ズームや焦点合わせなど行うために、内部のレンズを動かすことができる。レンズユニットの後方にはファインダーユニット１４３が配置され、レンズとファインダーユニットの光軸方向の長さが、本発明の必要最低限の長さである。レンズユニットの並列位置にはテープの駆動ユニット１４２が配置されている。本発明ではテープにて画像や音声を記録するビデオカメラであり、駆動ユニット部にテープを入れて撮影・再生ができる。
【００２３】
レンズユニットの下には信号処理基板１４４が設けられている。信号処理基板は高機能な処理を行うために大きな面積を必要とし、レンズ・ファインダーユニットで決められた最大長さまで広げて、本発明全体の長さを変えることなく、できるだけ大きな実装面積を得ている。そのためテープ駆動ユニット側とバッテリー・表示部側を完全に区切るように基板が配置されている。バッテリーと表示部の前方と駆動側の前方の区切られたスペースを活用してマイクのＬチャンネル及びＲチャンネルを一つずつ配置することでスペースの有効活用となる。
【００２４】
信号処理基板には、電源供給端子、画像音声出力端子が実装されている。電源供給端子はケーブル端子を挿し込んで電源と接続することで、本体への電源供給を行う。画像音声出力端子はケーブル端子を接続してテレビなどに接続することで、テープに記録された画像の再生や、レンズより取り込まれている画像を出力することができる。
【００２５】
図５は端子カバーの断面図である。
【００２６】
１５１は合成樹脂で形成されており、端子カバー閉時に外観側へ露出するため美観が必要であり、１５２の外観処理の難しい弾性部と別部品として構成されている。１５３は端子カバーと本体部を繋ぐ腕部であり、腕部も弾性体で構成されることで、端子カバーを図３のように回転方向に開くことができる。１５２の弾性部には全周にリブ１５４が設けられ、リブ外形は端子カバーが収納される凹部より大きく構成されており、収縮されて凹部に収まる。
【００２７】
図６は端子カバーが収納された状態の断面図である。
【００２８】
端子カバー収納凹部１６１から１５４のリブ部に力が掛かることで、圧縮されてリブ根元が湾曲し、端子部の穴を密閉することができる。テープ駆動部やレンズを駆動する際に、アクチュエーターの駆動振動が音となり、内部の音が記録されて雑音となる。ビデオカメラの外装に隙間があると、隙間から音が漏れ、マイク正面に廻り込むことで内部の音が記録されることも雑音の原因の一つである。特にマイク付近に隙間があるとマイク正面に音が廻り易く、雑音レベルが大きくなる。そこで、本発明の外部端子のように隙間になる箇所がマイク付近にある場合でも、端子カバーで密閉構造をつくることで、雑音記録を防ぐことができる。
【図面の簡単な説明】
【００２９】
【図１】本発明の第一の実施例に係る概略図である。
【図２】本発明の第一の実施例に係る概略図である。
【図３】本発明の第一の実施例に係る概略図である。
【図４】本発明の第一の実施例に係る内部構造詳細図である。
【図５】本発明の第一の実施例に係る端子カバー部断面図である。
【図６】本発明の第一の実施例に係る端子カバー部詳細図である。
【符号の説明】
【００３０】
１１１  マイク（Ｒチャンネル）
１１２  マイク（Ｌチャンネル）
１１３  端子カバー
１１４  表示部
１１５  レンズ
１２１  バッテリー
１３１  電源供給端子
１３２  画像・音声出力端子
１４１  レンズユニット
１４２  テープ駆動ユニット
１４３  ファインダーユニット
１４４  信号処理基板
１５１  端子カバー（外観側）
１５２  端子カバー（弾性部）
１５３  端子カバー（腕部）
１５４  端子カバー（リブ部）
１６１  端子カバー収納凹部
【図１】
2006352760.tif 000003
【図２】
2006352760.tif 000004
【図３】
2006352760.tif 000005
【図４】
2006352760.tif 000006
【図５】
2006352760.tif 000007
【図６】
2006352760.tif 000008